(57)【特許請求の範囲】
【請求項１】
遊技装置（５）を内装している箱体（６）に、遊技用回路基板（１３）を内装する基板ケース（１４）が、脱着可能に固定されているとともに、前記基板ケース（１４）には、遊技用回路基板（１３）の装脱用開口を開閉する蓋体（２０）が設けられている遊技用回路基板ケースの固定構造であって、前記装脱用開口を閉止する状態で基板ケース（１４）に設けられた蓋体（２０）と箱体（６）とを固定する取り外し阻止部材（３１）を破壊しない限り、前記基板ケース（１４）が箱体（６）から取り外し不能に構成されている遊技用回路基板ケースの固定構造。
【発明の詳細な説明】
【０００１】
【産業上の利用分野】
本発明は、スロットマシンやパチンコ機等の遊技装置を内装している箱体に、遊技用回路基板を内装する基板ケースが、脱着可能に固定されているとともに、前記基板ケースには、遊技用回路基板の装脱用開口を開閉する蓋体が設けられている遊技用回路基板ケースの固定構造に関する。
【０００２】
【従来の技術】
冒記遊技用回路基板ケースの固定構造は、基板ケース内の回路基板を簡便に取替えたり修理できるよう、回路基板の装脱用開口を開閉する蓋体が基板ケースに設けられているが、この蓋体を開き操作して、正規に内装されている回路基板が遊技内容を違法に改変した不正な回路基板に取替えられるおそれがあり、従来、蓋体を不正に開き操作すると破損してしまう封緘シール等を基板ケースに張り付けている。
【０００３】
【発明が解決しようとする課題】
しかしながら、封緘シール等を基板ケースに張り付けてあるだけでは、基板ケースを箱体から外して、その封緘シール等を基板ケースから丁寧に剥がしさえすれば、蓋体を不正に開き操作することは可能であり、回路基板の不正取替えに対する効果的な防御手段にはなり得ない欠点がある。
本発明は上記実情に鑑みてなされたものであって、基板ケースの蓋体と箱体との固定構造を工夫することにより、基板ケースに内装される回路基板の取替えや修理等の作業をコスト面及び構造面で有利に行うことができるものでありながら、回路基板の不正取替えに対して効果的に防御し得る遊技用回路基板ケースの固定構造を提供することを目的とする。
【０００４】
【課題を解決するための手段】
上記目的を達成する為の本発明の特徴構成は、遊技装置を内装している箱体に、遊技用回路基板を内装する基板ケースが、脱着可能に固定されているとともに、前記基板ケースには、遊技用回路基板の装脱用開口を開閉する蓋体が設けられている遊技用回路基板ケースの固定構造であって、前記装脱用開口を閉止する状態で基板ケースに設けられた蓋体と箱体とを固定する取り外し阻止部材を破壊しない限り、前記基板ケースが箱体から取り外し不能に構成されている点にある。
【０００５】
【作用】
装脱用開口を閉止する状態で基板ケースに設けられた蓋体と箱体とを取り外し阻止部材で固定することにより、基板ケース自体も箱体に対して取り外し不能に固定することができるから、基板ケース並びに箱体の双方を壊すことなく、基板ケースを箱体から取り外す為には、取り外し阻止部材を壊す必要がある。
そして、取り外し阻止部材が壊されているか否かをもって、回路基板の不正取替えが行われたか否かを判別することができるとともに、基板ケースに内装されている回路基板の取替えや修理等を行う場合でも、取り外し阻止部材のみを壊すだけで良いから、基板ケース及び蓋体をそのまま再利用することができる。
【０００６】
【発明の効果】
従って、基板ケース並びに箱体の双方を壊すことなく、基板ケースを箱体から取り外す為には、取り外し阻止部材を壊す必要があるので、回路基板の不正取替えに対して効果的に防御し得るとともに、基板ケースの開口を閉止する蓋体を利用して箱体に固定するから、例えば、基板ケースと箱体とを上述のような取り外し阻止部材を用いて直接固定する場合のように、基板ケースと蓋体とを破壊しない限り固定解除できない別の固定手段で強固に固定する必要が無く、また、基板ケースに内装されている回路基板の取替えや修理等を行う際、取り外し阻止部材の破壊時に誤って蓋体を損傷しても、この蓋体を取替えるだけで済み、回路基板の取替えや修理等の作業もコスト面及び構造面で有利に行うことができる。
【０００７】
【実施例】
〔第１実施例〕
図５は遊技機の一例としてのスロットマシンを示し、投入メダルを貯留するとともに賞メダルを払い出すホッパーユニット１，電源ユニット２等が組み付けられている木製枠体３に、前面扉体４が縦軸芯周りで揺動開閉可能に取り付けられ、前面扉体４には、遊技装置を構成する図柄回動装置５が箱体としての鋼製キャビネット６に内装されている図柄回動ユニット７，遊技操作ユニット８，メダル受け皿９等が組付けられ、図柄回動ユニット７のキャビネット６前面側には図柄表示パネル１０が固定されている。
そして、図１乃至図４に示すように、キャビネット６背面を構成している鋼製背板１１に窓孔１２を形成し、この窓孔１２をキャビネット６内側から塞ぐように、遊技用回路基板１３を内装している透明樹脂製の基板ケース１４が固定されている。
【０００８】
前記基板ケース１４は、キャビネット６に対する固定用の左右取付け片１５と、回路基板１３の周縁をその板面に沿う方向にスライド移動自在に係止保持する係止溝１６と、信号線の接続端子１７を回路基板１３に接続する為の開口部１８とが設けられている透明樹脂製ケース本体１９に、回路基板１３の装脱用開口を開閉するための蓋体である透明樹脂製蓋板２０を着脱自在に嵌め込んで構成されている。
前記蓋板２０は、当該蓋板２０に形成してある係止爪２１をケース本体１９に形成してある係止孔２２に係止させて固定してあり、蓋板２０の長手方向端部を指で掴んで蓋板厚み方向に無理に押し引きして係止爪２１を係止孔２２に対して係脱させることで、回路基板１３を装脱可能な状態に開閉する開閉手段３６が構成され、蓋板２０をケース本体１９から外して基板ケース１４を開放し、係止溝１６に沿ってのスライド移動で回路基板１３を装脱できるよう構成してある。
【０００９】
次に、基板ケース１４のキャビネット６に対する固定構造を説明する。
前記キャビネット６の背板１１には、窓孔１２の上端側と下端側との各々に沿って板金製の枠板材２３，２４をスポット溶接して、基板ケース１４の上端側をキャビネット６内側から差し込み可能な上側凹入部２５と、基板ケース１４の下端側を嵌め込み可能な下側凹入部２６とが設けられ、基板ケース１４の蓋板２０には、該蓋板２０が装脱用開口を閉止しているときに背板１１に対して重ね合わせる状態で固定される板材２７が透明樹脂で鍔状に一体成形されている。
そして、図２に示すように、基板ケース１４の上端側を上側凹入部２５に差し込むことで基板ケース１４の下端側を下側枠板材２４の上縁を越えさせてから、その基板ケース１４の下端側を下側凹入部２６に嵌め込み、取付け片１５を背板１１の外面側からビス２８で当該背板１１に固定して、背板１１に形成した貫通孔２９と板材２７に形成した貫通孔３０とに亘って、基板ケース１４のキャビネット６からの取り外しを阻止する取り外し阻止部材としての透明樹脂製の固定ピン３１を挿入する。
【００１０】
前記固定ピン３１は、図１に示すように、当該固定ピン３１の出所を証明する刻印３２を付してある頭３３付きのピン軸３４の挿入端側に、軸芯Ｘ方向に向けて弾性変形可能な爪３５がその先端部分をピン軸３４外周面よりも外方に突出させる状態で一体成形され、固定ピン３１を爪３５側から貫通孔２９，３０に挿入するにともなって、その爪３５が軸芯Ｘ方向に向けて弾性変形し、爪３５の先端部分が板材２７に形成した貫通孔３０から抜けると復帰変形して、爪３５先端部が板材２７に係止することで、固定ピン３１を破壊しない限り基板ケース１４及びキャビネット６から取り外し不能に装着される。
尚、刻印３２は、固定ピン３１を金型で成形する際に同時に成形される。
【００１１】
従って、基板ケース１４とキャビネット６とに亘って固定ピン３１が一旦挿入されると、キャビネット６内側から手を差し入れて固定ピン３１の爪３５を軸芯方向に向けて無理に弾性変形させ、固定ピン３１を背板１１の外面側に抜き出そうとしても、そのような操作が基板ケース１４の上部外周側を覆っている上側枠板材２３で阻止され、又、ビス２８を外してから、固定ピン３１で背板１１に固定されている蓋板２０をそのままにしてケース本体１９だけを下向きに押し下げ、ケース本体１９を蓋板２０から外そうとしても、そのような押し下げ動作が基板ケース１４の下部外周側を覆っている下側枠板材２４との接当で阻止され、もって、基板ケース１４がキャビネット６に対して、開閉手段３６を開閉操作不能な状態で固定されている。
そして、基板ケース１４内の回路基板１３を不正目的でなく取替えたり修理する際には、固定ピン３１の軸芯Ｘに沿ってドリル等で孔を明けて、爪３５の基部を壊してしまうことで爪３５先端部の板材２７に対する係止を解除して、基板ケース１４をその固定手順とは逆の手順でキャビネット６から取り外し、所定の作業を終えてから、出所を証明する所定の刻印３２が付されている別の固定ピン３１を使用して再固定する。
【００１２】
〔第２実施例〕
図６は固定ピン３１の装着構造の別実施例を示し、蓋板２０に、これが装脱用開口を閉止する状態にあるとき基板ケース１４内に入り込む板材２７を一体形成し、固定ピン３１をその先端側の爪３５が基板ケース１４内に入り込む状態で、背板１１，ケース本体１９及び板材２７とに亘って挿入してある。
固定ピン３１をこのように装着することで、第１実施例で示したような基板ケース１４の上下部外周側を覆っている枠板材２３，２４を設けることなく、基板ケース１４をキャビネット６に対して、蓋板２０の開閉操作が不能な状態で固定できるとともに、固定ピン３１をそれを破壊しない限り基板ケース１４及びキャビネット６から取り外し不能に装着できる。
その他の構成は第１実施例と同様である。
【００１３】
〔その他の実施例〕
１．遊技装置の種類は限定されず、例えばパチンコ用の遊技装置であっても良い。
２．遊技装置を内装している箱体は、遊技装置の一部又は全部を内装しているものであっても良い。
３．遊技装置を内装している箱体の材質は限定されず、木製，樹脂製等であっても良い。
４．基板ケースの材質は限定されず、木製，金属製等であっても良い。
５．回路基板を装脱可能な状態に開閉する開閉手段の構造は限定されず、例えば揺動開閉可能な蓋体或いはスライド開閉可能な蓋体を設けて構成されるものであっても良い。
６．取り外し阻止部材に付される刻印は、取り外し阻止部材を製作してから別途付されるものであっても良い。
７．本発明による遊技用回路基板ケースの固定構造は、開閉機構を不正に操作すると破損してしまう封緘シール等を併用するものであっても良い。
８．第１実施例において、板材２７に係止している固定ピン３１の爪３５先端部を覆うカバーを当該板材２７に設けて、固定ピン３１を蓋板２０から抜き出す操作を阻止できるよう構成しても良い。
９．固定ピン３１を構成しているピン軸３４の軸芯Ｘに直交する方向の断面形状は円形であっても角形であっても良いが、周り止めされる状態で装着されている場合、爪３５の基部を壊す為に固定ピン３１の軸芯Ｘに沿ってドリル等で孔を明ける際に明け易い。
【００１４】
尚、特許請求の範囲の項に図面との対照を便利にするために符号を記すが、該記入により本発明は添付図面の構成に限定されるものではない。
【図面の簡単な説明】
【図１】要部の拡大断面図
【図２】要部の断面図
【図３】図柄回動ユニットを背面側から見た斜視図
【図４】図柄回動ユニットを正面側から見た要部斜視図
【図５】スロットマシンの側面断面図
【図６】別実施例を示す要部の拡大断面図
【符号の説明】
５    遊技装置
６    箱体
１３  回路基板
１４  基板ケース
２０ 蓋体
３１  取り外し阻止部材
【図１】
0003599651.tif 000002
【図２】
0003599651.tif 000003
【図３】
0003599651.tif 000004
【図４】
0003599651.tif 000005
【図５】
0003599651.tif 000006
【図６】
0003599651.tif 000007